(57)【要約】【課題】人間の視覚に対して不快感を及ぼさず、また、斜め上や斜め横などからも視認性が良い、電子機器の照明構造を提供する。【解決手段】電子機器の照明構造は、外部に対し間隙Ｇを生じるように形成された筐体１と、筐体１の内側に取り付けられた基板２と、基板２に実装されたＬＥＤ３と、ＬＥＤ３から発光された光を導光する導光体４と、導光体４が着脱可能に取り付けられ、間隙Ｇに対応する位置に筐体１に取り付けられたパネル５とを備え、パネル５が、間隙Ｇに対し前進角をもって傾斜し、導光体４の出射部４１ｂから出射された光を間隙を介して外部へ反射する第１反射部５２を有し、筐体１が、間隙Ｇに対し平角を構成し、導光体４から出射された光を間隙Ｇを介して外部へ反射する第２反射部１２ａ１を有する。【選択図】図１
2019029318.tif 000002
【特許請求の範囲】
【請求項１】
電子機器の照明構造であって、
外部に対し間隙を生じるように形成された筐体と、
前記筐体の内側に取り付けられた基板と、
前記基板に実装されたＬＥＤと、
前記ＬＥＤから発光された光を導光する導光体と、
前記導光体が着脱可能に取り付けられ、前記間隙に対応する位置に前記筐体に取り付け
られたパネルと、を備え、
前記パネルが、前記間隙に対し前進角をもって傾斜し、前記導光体の出射部から出射さ
れた光を前記間隙を介して外部へ反射する第１反射部を有し、
前記筐体が、前記間隙に対し平角を構成し、前記導光体から出射された光を前記間隙を
介して外部へ反射する第２反射部を有する、ことを特徴とする電子機器の照明構造。
【請求項２】
前記パネルが前記導光体の後部両側面と後面を覆う収納部を有することを特徴とする請
求項１に記載の電子機器の照明構造。
【請求項３】
前記パネルの前記第１反射部及び／又は前記導光体の前記出射部の表面がシボ処理され
ていることを特徴とする請求項１又は２に記載の電子機器の照明構造。
【請求項４】
前記導光体が、複数のＬＥＤレンズが連結体によって連結された導光板として構成され
ることを特徴とする請求項１から３のいずれか１項に記載の電子機器の照明構造。
【発明の詳細な説明】
【技術分野】
【０００１】
本発明は、電子機器の照明構造、特に、ネットワーク装置等の電子機器の報知手段とし
ての照明構造に関する。
【背景技術】
【０００２】
従来、ネットワーク機器などのＬＣＤ等の表示器をもたない機器であっても、当該機器
の状態、例えば電源のＯＮ／ＯＦＦやネットワークとの接続／切断について、機器自体が
正常に稼動しているか否かを報知するため、照明部が設けられているものが知られている
（例えば、特許文献１参照）。
【０００３】
特許文献１は、照明部のＬＥＤから発光された光の隣接するレンズへの漏れを防止する
とともに、取付けの作業性を向上させることを目的として、隣接するレンズの間に光遮蔽
片を設けた発明を開示している。
【０００４】
しかしながら、特許文献１では、ＬＥＤから導かれた光を導光板を介して直接的に外部
へ報知する（直接照明）ことから、光が強すぎて人間の視覚に対して不快感を及ぼすとい
う問題があった。また、正面からしか確認できないことが多く、斜め上や斜め横などから
は視認性が悪いという問題があった。
【先行技術文献】
【特許文献】
【０００５】
【特許文献１】特開２０１２−２３０９９８号公報
【発明の概要】
【発明が解決しようとする課題】
【０００６】
本発明は、かかる課題に鑑みなされたものであり、人間の視覚に対して不快感を及ぼさ
ず、また、斜め上や斜め横などからも視認性が良い、電子機器の照明構造を提供すること
を目的とする。
【課題を解決するための手段】
【０００７】
上記した課題を解決するために、本発明は、以下によって把握される。
（１）本発明に係る観点は、電子機器の照明構造であって、外部に対し間隙を生じるよう
に形成された筐体と、前記筐体の内側に取り付けられた基板と、前記基板に実装されたＬ
ＥＤと、前記ＬＥＤから発光された光を導光する導光体と、前記導光体が着脱可能に取り
付けられ、前記間隙に対応する位置に前記筐体に取り付けられたパネルと、を備え、前記
パネルが、前記間隙に対し前進角をもって傾斜し、前記導光体の出射部から出射された光
を前記間隙を介して外部へ反射する第１反射部を有し、前記筐体が、前記間隙に対し平角
を構成し、前記導光体から出射された光を前記間隙を介して外部へ反射する第２反射部を
有する、ことを特徴とする。
【０００８】
（２）上記（１）に記載の構成において、前記パネルが前記導光体の後部両側面と後面を
覆う収納部を有する。
【０００９】
（３）上記（１）又は（２）に記載の構成において、前記パネルの前記第１反射部及び／
又は前記導光体の前記出射部の表面がシボ処理されている。
【００１０】
（４）上記（１）から（３）のいずれか１つに記載の構成において、前記導光体が、複数
のＬＥＤレンズが連結体によって連結された導光板として構成される。
【発明の効果】
【００１１】
本発明によれば、人間の視覚に対して不快感を及ぼさず、また、斜め上や斜め横などか
らも視認性が良い、電子機器の照明構造を提供することができる。
【図面の簡単な説明】
【００１２】
【図１】本発明の実施形態であって、組立前の電子機器を示す分解斜視図である。
【図２】同じく、組立後の電子機器を示す正面図である。
【図３】同じく、組立後の電子機器において、アッパケースを省略して照明構造を説明する正面図である。
【図４】同じく、組立後の電子機器において、アッパケースを省略して照明構造を説明する平面図である。
【図５】同じく、組立後の電子機器において、図２の矢視Ａ−Ａ方向から見て照明構造を説明する断面図である。
【図６】同じく、図５の照明構造を拡大して説明する図である。
【図７】同じく、図６に光路を付加して説明する図である。
【図８】同じく、組立後の電子機器において、照明の状態を正面から見た図である。
【図９】同じく、組立後の電子機器において、照明の状態を斜め上方から見た図である。
【発明を実施するための形態】
【００１３】
以下、添付図面を参照して、本発明の実施形態について詳細に説明するが、各図におい
て、同一符号は同一又は対応する部分を示す。また、本発明は、以下の説明からも明らか
なようにこれらの実施形態に限定されるものではなく、発明の要旨の範囲内において当業
者であれば種々の変形が可能である。
【００１４】
まず、本実施形態が適用される電子機器の全体構成について、説明する。ここでは、図
１に示すように、電子機器として、アッパケース１１及びロアケース１２から構成される
筐体１と、筐体１の内側に取り付けられた基板２と、基板２に実装されたＬＥＤ３と、Ｌ
ＥＤ３から発光された光を導光する導光体４と、導光体４が着脱可能に取り付けられるパ
ネル５とを備える例を示している。以下、各別に説明する。
【００１５】
アッパケース１１は、天面１１ａ並びに天面１１ａから垂下する正面１１ｂ、左右側面
１１ｃ及び背面１１ｄを有しており、蓋状に構成されている。ロアケース１２は、底面１
２ａ及び左右側面１２ｃを有する一方、正面、背面及び天面が開放されており、正面視に
おいて、凹型に形成されている。アッパケース１１の正面１１ｂの高さ１１ｈは、ロアケ
ース１２の正面の高さ１２ｈよりも小さく設定されており、アッパケース１１とロアケー
ス１２をねじ止めして筐体１を組み立てたとき、図２に示すように、アッパケース１１の
正面１１ｂの下端とロアケース１２の底面１２ａの間には、間隙Ｇが形成される。この点
は、後述する。
【００１６】
基板２は、アッパケース１１にねじ止めされている。基板２上には、電子機器の動作に
必要な各種の部品が実装されているが、図１では、後述する照明構造の光源となるＬＥＤ
３と、外部機器との接続端子２１を図示している。ＬＥＤ３は、複数個、ここでは、６個
の場合を図示しているが、もちろん、この数量に限られるものではなく、１個以上を必要
に応じて実装すればよい。
【００１７】
導光体４は、ＬＥＤレンズ４１から構成されており、図１では、複数（６個の場合を図
示）のＬＥＤレンズ４１が連結体４２によって連結された導光板の態様とした例を示して
いる。パネル５は、基体５１の下部に第１反射部５２を、その上部に収納部５３を有して
おり、導光体４は、パネル５の収納部５３に着脱可能に取り付けられる。導光体４とパネ
ル５の構成の詳細については、後述する。なお、パネル５は、アッパケース１１にねじ止
めされる。
【００１８】
図２に、組立後の筐体１を正面視した場合を示している。前述したとおり、アッパケー
ス１１の高さ１１ｈとロアケース１２の高さ１２ｈには間隙Ｇが設けられており、筐体１
の内側に設けられたパネル５の第１反射部５２が間隙Ｇを介して外部に露出している。第
１反射部５２は、間隙Ｇに対して前進角（間隙Ｇからみて鈍角）を形成するように傾斜し
ており、後述するように、ＬＥＤレンズ４１からの光を主に前方に反射する。
【００１９】
アッパケース１１の正面１１ｂには、ＬＥＤ３及び導光体４のＬＥＤレンズ４１に対応
する位置に、光が表示する事項ＩＤが表記されている。事項ＩＤは任意に設定できるが、
ここでは、６個のＬＥＤ３及びＬＥＤレンズ４１のうち４個に対応して、右から順に「Ｐ
ＯＷＥＲ」、「ＳＴＡＴＵＳ」、「ＩＮＦＯ１」及び「ＩＮＦＯ２」を標記した例を示し
ている。破線で示す位置には、さらに事項ＩＤを追加することができる。
【００２０】
図３、図４及び図５は、組立後の筐体１の照明構造を含む内部構成を説明する図である
。基板２の下面にはＬＥＤ３が設けられており（ＬＥＤ３は相対的に小さいため、図３〜
図５では省略している。ＬＥＤ３については、図６及び図７を参照して後述する。）、Ｌ
ＥＤ３に対応して導光体４のＬＥＤレンズ４１が位置している。なお、図４では、アッパ
ケース１１の外部に延在するアンテナ２２を設けた場合を図示している。
【００２１】
図３及び図４に示すように、ＬＥＤレンズ４１は、パネル５の収納部５３に取り付けら
れている。より具体的には、ＬＥＤレンズ４１の上部（後述する入射部４１ａ）が収納部
５３に貫入されており、ＬＥＤレンズ４１の上部は、後部両側面及び後面（筐体１の内側
方向）において収納部５３によって覆われる。ＬＥＤレンズ４１の下部（後述する出射部
４１ｂ）は、パネル５の第１反射部５２と対向するようにパネル５の基体５１の下方に突
出しているが、詳しくは後述する。
【００２２】
図５は、図２の矢視Ａ−Ａ方向から見た電子機器の断面を示している。ＬＥＤレンズ４
１は、その全体がアッパケース１１の正面１１ｂの内側に位置するように取り付けられて
おり、パネル５の第１反射部５２は、間隙Ｇを介して外部に対して露出している。また、
ロアケース１２の底面１２ａは、その縁部に第２反射部１２ａ１を有しており、第１反射
部５２と同じように、間隙Ｇを介して外部に対して露出している。第２反射部１２ａ１は
、間隙Ｇに対して平角（間隙Ｇからみて１８０度）をもって構成されており、ＬＥＤレン
ズ４１からの光を主に上方に向けて反射する。
【００２３】
以上、電子機器の全体構成を説明したが、その照明構造について、図６及び図７を参照
してより詳しく説明する。
【００２４】
図６は、照明構造を拡大して示している。前述した説明と一部重複するが、照明構造に
ついて説明する。図６に示すように、基板２の下面にＬＥＤ３が設けられており、ＬＥＤ
３にはＬＥＤレンズ４１の入射部４１ａが対向している。入射部４１ａは、前述のとおり
、パネル５の収納部５３に着脱可能に貫入されており、入射部４１ａの後部両側面及び後
面は収納部５３によって覆われている。これにより、ＬＥＤ３から入射部４１ａに入射し
た光は、隣接するＬＥＤレンズ４１の入射部４１ａへの漏れが防止される。
【００２５】
ＬＥＤレンズ４１の下部は、出射部４１ｂとして延在しており、パネル５の第１反射部
５２との間に空間５４が形成されている。出射部４１ｂから出射した光Ｒ１は、空間５４
を経由して第１反射部５２により前方へ反射される（光Ｒ２）。これにより、ＬＥＤ３か
ら発光された光は、ＬＥＤ３の光をＬＥＤレンズ４１から直接的に視認する場合に対し、
間接照明として視認する人間に柔らかな光を投げかけることが可能となる。さらに、出射
部４１ｂから出射される光Ｒ１はパネル５の第１反射部５２の広い面積で受け止められる
ため、正面方向（図７のＳ１）のみならず左右斜め方向から見たときにも、第１反射部５
２に反射した光Ｒ２を非常に見易いという効果が得られる。
【００２６】
図７は、図６に光路を書き加えて説明したものである。ＬＥＤ３から発光された光は、
ＬＥＤレンズ４１の入射部４１ａを通過して、出射部４１ｂへと導光される。出射部４１
ｂの先端は、その両端が鋭角で交差するように構成されており、出射部４１ｂから出射し
た光は、空間５４を経由して、パネル５の第１反射部５２及びロアケース１２の底面１２
ａの第２反射部１２ａ１に反射する。第１反射部５２で反射した光は、正面方向Ｓ１（左
右斜め方向を含む）から視認したときに見易く、第２反射部１２ａ１で反射した光は、斜
め上方向Ｓ２から視認したときに見易い。
【００２７】
ここで、パネル５の第１反射部５２及び／又はＬＥＤレンズ４１の出射部４１ｂの表面
をシボ処理（不図示）することにより、それぞれから反射される光が拡散され、より一層
柔らかな光を外部の人間に視認させることができる。図８は、正面方向Ｓ１から、発光し
たＬＥＤ３に対応する第１反射部５２の反射範囲５２１を視認したときの例を、図９は、
斜め方向Ｓ２から、発光したＬＥＤ３に対応する底面１２ａの第２反射部１２ａ１を視認
したときの例を、それぞれ示している。
【００２８】
以上、実施形態について説明したが、本発明は、具体的な実施形態に限定されるもので
はなく、種々の変更を行ったものも含まれるものであり、そのことは、当業者にとって特
許請求の範囲の記載から明らかである。
【００２９】
例えば、本実施形態では、光が出射される間隙Ｇを電子機器の正面に位置する場合を説
明したが、側面や天面などの位置に間隙Ｇを設けるようにしてもよい。また、導光体４は
、導光板の態様に限る必要はなく、ＬＥＤレンズ４１の単体として構成してもよい。さら
には、筐体１は、アッパケース１１とロアケース１２の上下関係は逆転したものでも、ま
た、両ケースが一体化されたものでも差し支えなく、要するに、間接照明を行い得る間隙
Ｇが設けられていれば、本実施形態の照明構造を適用することができる。
【符号の説明】
【００３０】
１…筐体
１１…アッパケース
１１ａ…天面
１１ｂ…正面
１１ｃ…左右側面
１１ｄ…背面
１１ｈ…アッパケースの正面の高さ
１２…ロアケース
１２ａ…底面
１２ａ１…第２反射部
１２ｃ…左右側面
１２ｈ…ロアケースの正面の高さ
２…基板
２１…接続端子
２２…アンテナ
３…ＬＥＤ
４…導光体（導光板）
４１…ＬＥＤレンズ
４１ａ…入射部
４１ｂ…出射部
４２…連結体
５…パネル
５１…基体
５２…第１反射部
５３…収納部
５４…空間
Ｇ…間隙
Ｒ１、Ｒ２…光
Ｓ１…正面方向（左右斜め方向を含む）
Ｓ２…斜め上方向
【図１】
2019029318.tif 000003
【図２】
2019029318.tif 000004
【図３】
2019029318.tif 000005
【図４】
2019029318.tif 000006
【図５】
2019029318.tif 000007
【図６】
2019029318.tif 000008
【図７】
2019029318.tif 000009
【図８】
2019029318.tif 000010
【図９】
2019029318.tif 000011